(57)【要約】【課題】使用時には確実に封止機能を発揮でき、しかも回収して封印を解除する際には無理なく封止ネジとの係止を解くことができるようにされた封印具の係止体を提供する。【解決手段】封止ネジの頭部に被嵌装着できる閉鎖構造のプラスチック製キャップの内部で金属板材で形成される係止体１０を内在させ、その係止体１０に設けられる一対の係止突片１２，１２を前記封止ネジの頭部に設けられた横向き孔に係合させて封印機能を呈し、筒状の胴部１１に形成される周囲の一部を切欠いて開閉可能にされた前記係止体１０を、解体時にその切欠かれた部分を開いて封止ネジ頭部から取外せるようにされる封印具の係止体１０であって、その係止体１０に設けられる一対の係止突片１２，１２が、前記胴部１１との連結基部１３から先端部１２ａまでを、上面が膨らみを持つ彎曲状に形成されている。【選択図】図１
0003121156.tif 000002
【実用新案登録請求の範囲】
【請求項１】
封止ネジの頭部に被嵌装着できる閉鎖構造のプラスチック製キャップの内部で金属板材で形成される係止体を内在させ、その係止体に設けられる一対の係止突片を前記封止ネジの頭部に設けられた横向き孔に係合させて封印機能を呈し、筒状の胴部に形成される周囲の一部を切欠いて開閉可能にされた前記係止体を、解体時にその切欠かれた部分を開いて封止ネジ頭部から取外せるようにされる封印具において、
前記一対の係止突片が、前記胴部との連結基部から先端までを、表面が膨らみを持つ彎曲状に形成されていることを特徴とする封印具の係止体。
【請求項２】
前記係止突片は、前記胴部との連結基部を先端部よりも広幅にして、その連結基部から先端に向かって表面が膨らむ断面形状にされる請求項１に記載の封印具の係止体。
【考案の詳細な説明】
【技術分野】
【０００１】
本考案は、電力量計やその他計器類の封印に用いられる封印具の要部として組込まれる係止体に関するもので、詳しくは使用済み計器を回収して再生する際の開封を容易にでき、係止爪片の機能が損なわれない構成とされる封印具の係止体に関するものである。
【背景技術】
【０００２】
従来、電力積算計など封印を必要とする計器や器具に用いられる封印具としては、計器の外蓋を固定する封止ネジの頭部に外嵌して、外部からその封止ネジを操作して開封できないようにする封印具がある。そして、それら封印された計器類は、使用済みとして回収されたものを点検して再生するときに、封印解除の作業を容易にすることが求められ、そのために回収された計器類の封印解除の作業が容易な構成にされている。
【０００３】
計器類の回収後における封印解除ができる構成とされる封印具については、例えば特許文献１または特許文献２などによって知られている。特許文献１による封印具は、閉鎖構造にされて封止ネジの頭部を覆って装着される合成樹脂製のボディ内部に組み込まれ、前記封止ネジの頭部に設けられた横向き孔に係合する一対の内向き係止突片が設けられて筒形に形成され、胴部分の一部を切欠かれてなる係止ばね体を備えたものである。この封印具は、前記封止ネジの頭部に装着されると、ボディを回動させても係止ばね体と封止ネジとが一体化して動かず、ボディを除去しない限り封止ネジを操作できないようにして封印できる構成とされている。
【０００４】
また、特許文献２によって知られる封印具は、前記特許文献１によって知られる封印具が、不正行為でボディに変則的な外力、例えば少し持上げて傾けながら回転力を加えるような行為で係止ばね体が弾性変形して係止突片が横向き孔から抜け出し、封印機能が失われることが判明し、その問題点を解決するため、封止ネジ頭部の横向き孔と係合する係止ばね体の係止突片の弾性変形を阻止する構成に改良されたものである。
【０００５】
【特許文献１】実開平６−８２６６９号公報
【特許文献２】特開２００２−２５０３２８号公報
【考案の開示】
【考案が解決しようとする課題】
【０００６】
しかしながら、前記特許文献１による封印具における係止ばね体の問題点を改良した特許文献２で開示される封印具では、その係止ばね体では、封止ネジの頭部の横向き孔に係合させるために設けられる内横向きに形成された係止突片を、容易に弾性変形しないように剛性を持たせるために、胴部から突き出た前記係止突片の基部の側縁を比較的大きい円弧縁にして、かつ係止突片の横断面を円弧状に形成したために、この係止ばね体はバネ板を曲げ加工して形成されていることから加工性に問題が生じ、量産して十分に目的を達成し得ないという問題点があった。
【０００７】
本考案は、このような問題点を解決するためになされたもので、要部の加工性を高め、使用時には確実に封止機能を発揮でき、しかも回収して封印を解除する際には無理なく封止ネジとの係止を解くことができるようにされた封印具の係止体を提供することを目的とするものである。
【課題を解決するための手段】
【０００８】
前記目的を達成するために、本考案による封印具の係止体は、
封止ネジの頭部に被嵌装着できる閉鎖構造のプラスチック製キャップの内部で金属板材で形成される係止体を内在させ、その係止体に設けられる一対の係止突片を前記封止ネジの頭部に設けられた横向き孔に係合させて封印機能を呈し、筒状の胴部に形成される周囲の一部を切欠いて開閉可能にされた前記係止体を、解体時にその切欠かれた部分を開いて封止ネジ頭部から取外せるようにされる封印具において、
前記一対の係止突片が、前記胴部との連結基部から先端までを、表面が膨らみを持つ彎曲状に形成されていることを特徴とするものである。
【０００９】
前記考案において、前記係止突片は、前記胴部との連結基部を先端部よりも広幅にして、その連結基部から先端に向かって表面が膨らむ断面形状にされるのがよい。
【考案の効果】
【００１０】
本考案によれば、係止突片が胴部との連結基部から先端までを、表面が膨らみを持つ彎曲状に形成することにより、胴部から内側へ折り曲げ形状にされる係止突片の構造を、適度な剛性を確保して小形構造であるにもかかわらず、無理なくプレス曲げ加工できることになり、量産性が確保でき、もちろん係止体としての機能を十分に発揮できるという効果を奏するのである。
【考案を実施するための最良の形態】
【００１１】
次に、本考案による封印具の係止体の具体的な実施の形態について、図面を参照しつつ説明する。
【００１２】
図１には本実施形態の封印具の係止体を拡大して表わす一部切欠き全体斜視図が、図２には係止体の一部切欠き拡大側面図（ａ）と同図のＡ−Ａ視図（ｂ）が、図３には本実施形態の係止体を組み込んだ封印具の使用前を表わす拡大縦断面図が、それぞれ示されている。
【００１３】
この実施形態の係止体が組み込まれる封印具１は、プラスチックで有底円筒状に形成されたボディ２と、このボディ２内に受入れられる係止体１０と、この係止体１０を回動可能にして外脱不能に収容しボディ２の上側開口部分に嵌合固着される蓋片５とによって構成されている。この封印具１は、前記ボディ２が対象となる計器あるいは器具の蓋体２５を固定する封止ネジ２０の頭部２１に被嵌して、内蔵する前記係止体１０との係合によって不正に開封できないようにされるものである。なお、前記ボディ２と蓋片５との組合わせ品が、本考案の「キャップ」に対応する。
【００１４】
前記ボディ２は、その内部に前記封止ネジ２０の頭部２１が十分収まる寸法にされ、下端周縁部２ａを適宜量突出して底部３が浮き上がった状態にされ、底面の中央に装着孔４が設けられている。また開口部にはこのボディ２と同じプラスチックで成形された蓋片５が嵌合して、前述のように封印後は封止ネジ２０の頭部２１が抜け出さないようにされる。その蓋片５の下面には同心円で適宜高さ寸法の案内筒６が垂設され、その案内筒６の内側に使用時、前記封止ネジ２０の頭部２１が受入れられる寸法に形成されている。
【００１５】
前記係止体１０は、金属薄板で前記蓋片５に設けられた案内筒６の外側に納まる直径の筒状に成形され、前記ボディ２の内部高さ寸法より低い寸法の胴部１１を有し、前記ボディ２内に組み込まれた状態での下端部（図１，２（ａ），（ｂ）での表示と逆向き）で、相対向する位置で中心に向けて二個の係止突片１２，１２を備えている。また、胴部１１の一部は切り離され、この胴部切り離し部１６と反対の側を所要幅で外周方向に膨出させ、この膨出部１５が蓋片５の脚部５ａ内面と接して、前記係止突片１２が封印使用時に前記封止ネジ２０の頭部２１に設けられた横向き孔３２に係合できるように位置決めする役目を果たす形状とされている。
【００１６】
そして、係止体１０の前記係止突片１２，１２は、図１および図２（ａ），（ｂ）で表されるように、先端部１２ａが封印対象となる封止ネジ２０の頭部２１の横向き孔２２に挿入可能な寸法で胴部１１から内側中心に向かって突出され、左右対称で、胴部１１と連結される基部１３から先端に向かって上面１２ｂが膨らみを持つ彎曲状に形成されるとともに、前記胴部１１との連結基部１３を先端部１２ａよりも広幅にして、その連結基部１３から先端に向かって横断面円弧状にされている。言換えると、この係止突片１２は、スプーンの背面状の曲面を持つ形状とされている。
【００１７】
前記係止体１０を構成する金属薄板には、バネ性を有して耐蝕性に優れる金属として、りん青銅板、ステンレス鋼板などが用いられる。また、係止体１０における前記膨出部は、解体時にたとえばドライバーなどの工具の先端部を差し込めるスペースが得られる形状としておくのが好ましい。
【００１８】
このように構成される係止体１０は、図３で示されるように、封印具１としてボディ２内に係止突片１２を備える側が内底面に接するようにして組み込まれ、蓋片５をボディ２の開口部に嵌合させて接着剤を用いて一体化させる。こうすると、係止体１０はプラスチック製のボディ２内に閉じ込められて外部から手を加えることができない状態とされる。
【００１９】
この封印具で器具の蓋体を閉じる封止ネジ２０を封印するには、図３で示されるように、その封止ネジ２０の頭部２１に対しボディ２の底部の装着孔４を合わせて被嵌させ、封印具１を指で矢印ａの方向に押付ける。すると、その封止ネジ２０の頭部２１の周縁部によって装着孔４の上側で内向きに突出されている係止体１０の係止突片１２，１２が、上向き傾斜してかつ下向き面（先の説明での上面に相当）を彎曲状に形成されているので、その剛性によって連結基部１３，１３を外側に押し開く水平分力が作用して、構成材のバネ性による保形力に抗して胴部１１を、切り離し部１６の両側１６ａ，１６ａで開かれる（図４参照）。
【００２０】
こうして係止体１０の胴部１１の切り離し部両側１６ａ，１６ａが押し開かれると、図４（ａ）（ｂ）で示されるようにこの係止体１０の膨出部１５の外周面および胴部の切り離し部両側１６ａ，１６ａが蓋片５の嵌め込み脚部の内周面に押し当てられるので、係止突片先端部１２ａ，１２ａと封止ネジ頭部２１との接触摩擦力よりも、胴部１１側と蓋片５側との接触摩擦力が大きいので、その摩擦力でボディ２を指で摘んで例えば矢印ｂの方向に回動させると、ボディ２と係止体１０がともに回動させられる。
【００２１】
ボディ２を回動させることにより、係止体１０がともに回動して、その係止突片１２，１２が静止状態にある封止ネジ２０の頭部２１に設けられている横向き孔２２の位置に達すると、それら係止突片１２，１２が当該位置の横向き孔２２の両開口部に落ち込んで係合される。これと同時に係止体１０は、係止突片１２，１２がその封止ネジの頭部２１の周面によって突っ張り状態にあったのが解除されて、係止体１０の拡開が直ちに閉じられて前記蓋片５を介してのボディ２との接触が断たれるので、ボディ２側がフリーの状態になる。したがって、もはやボディ２を回転させても封止ネジ２０は回転せず封印状態となる。
【００２２】
この封印状態においては、係止体１０が前述のように、封止ネジの頭部２１における横向き孔２２と係合状態にある係止突片１２，１２が、いずれも内向き彎曲形状で、かつ横断面も外側へ膨れる円弧状に形成され、しかも胴部との連結基部１３において幅広に形成されているから、全体的に高い剛性を備えていることにより、仮にボディ２を浮かせて傾けることにより、係止体１０とボディ２の内周面とが接触する状態を呈しても、その接触摩擦程度では係止体を回動させることができない。したがって、封印具１を破壊して封印を解かない限り封止ネジ２０を回転させて計器を操作することは不能である。言換えると、封印が維持できるのである。
【００２３】
一方、本実施形態の係止体１０は、その構成材料がバネ性を備える材料で作成され、係止突片１２部分がごく小さい構造のものであるが、前述のように胴部１１との連結基部１３からその胴部１１形成中心に向かって求心方向に曲げ加工するにあたり、いわゆるスプーン状にプレス曲げすることで、係止突片１２全体と胴部１１との連結基部１３を無理なく成形して剛性の高い形状とすることが可能になり、その結果、小型部品であるにもかかわらず量産加工が可能になり、経済的効果を高めることができたのである。
【００２４】
このように構成される本実施形態の係止体１０を備える封印具１は、計器の点検再生に際して撤去処理する場合には、ボディ２を摘んで封止ネジ２０から強く引き外すようにすれば、ボディ２の底部３が壊れて外すことができる。この状態では係止突片１２，１２が封止ネジの頭部２１の横向き孔２２に係合した状態に保たれているので、係止体１０が残留する。そこで、この係止体１０を封止ネジ２０の頭部２１から取外すには、その胴部１１の膨出部１５と封止ネジ２０の頭部２１周面との間に形成される空間に、例えばドライバーの先を挿入して梃子状に動かすことにより係合している係止突片１２の先端部１２ａを横向き孔２２から外脱させて撤去することができる。あるいは係止体１０の胴部１１を左右に開いて係止突片１２を外すようにしてもよい。こうすることで、封止ネジ２０の頭部２１を傷めることなく封印を解いて再生・点検を行うことができる。
【図面の簡単な説明】
【００２５】
【図１】本実施形態の封印具の係止体を拡大して表わす一部切欠き全体斜視図
【図２】係止体の一部切欠き拡大側面図（ａ）と同図のＡ＝Ａ視図（ｂ）
【図３】本実施形態の係止体を組み込んだ封印具の使用前を表わす拡大縦断面図
【図４】本実施形態の係止体を組み込んだ封印具を封止ネジに装着する態様説明図で、（ａ）は拡大断面図、（ｂ）は平断面図
【図５】本実施形態の係止体を組み込んだ封印具による封止ネジの封印状態を表わす図で、（ａ）は拡大断面図、（ｂ）は平断面図
【符号の説明】
【００２６】
１    封印具
２    ボディ
４    装着孔
５    蓋片
１０    係止体
１１    係止体の胴部
１２    係止突片
１３    係止突片の連結基部
１５    膨出部
１６    胴部の切り離し部
２０    封止ネジ
２１    封止ネジの頭部
２２    封止ネジの横向き孔
【図１】
0003121156.tif 000003
【図２】
0003121156.tif 000004
【図３】
0003121156.tif 000005
【図４】
0003121156.tif 000006
【図５】
0003121156.tif 000007